(57)【要約】【課題】水を多量に使用する槽体ユニットにおいて電気部材を用いることが出来、水を多量に使用する槽体ユニットにおいて電気部材を用いても漏電の危険がない槽体ユニットであるので、各種機器において、使用用途が格段に広がった。【解決手段】電力の供給を受けて仕事をする負荷部３を備えると共に、電気を送電する送電ユニット１、送電ユニット１からの送電を受電する受電ユニット２のそれぞれを完全分離で構成して、送電ユニット１から非接触に受電ユニット２に電力を供給する非接触電源装置６を、底面に排水口８を備えた槽体部７に一つのユニットとして組み込んで構成した。【選択図】  図４
2008121225.tif 000002
【特許請求の範囲】
【請求項１】
電力の供給を受けて仕事をする負荷部３を備えると共に、電気を送電する送電ユニット１、送電ユニット１からの送電を受電する受電ユニット２のそれぞれを完全分離で構成して、送電ユニット１から非接触に受電ユニット２に電力を供給する非接触電源装置６を、底面に排水口８を備えた槽体部７に一つのユニットとして組み込んで構成したことを特徴とする槽体ユニット。
【請求項２】
前記負荷部３を受電ユニット２に一体的に構成したことを特徴とする前記請求項１に記載の槽体ユニット。
【請求項３】
前記槽体部７に、前記非接触電源装置６を複数構成したことを特徴とする前記請求項１又は請求項２に記載の槽体ユニット。
【請求項４】
槽体部７内部に受電ユニット２が配置されることを特徴とする前記請求項１乃至請求項３のいずれか一つに記載の槽体ユニット。
【請求項５】
槽体部７の排水口８に受電ユニット２が配置されることを特徴とする前記請求項１乃至請求項３のいずれか一つに記載の槽体ユニット。
【請求項６】
槽体部７の上縁に構成される天板に受電ユニット２が配置されることを特徴とする前記請求項１乃至請求項３のいずれか一つに記載の槽体ユニット。
【請求項７】
前記槽体ユニットに複数の槽体部７を構成したことを特徴とする前記請求項１乃至請求項６のいずれか一つに記載の槽体ユニット。
【請求項８】
前記受電ユニット２を槽体部７から脱着自在に構成したことを特徴とする前記請求項１乃至請求項７のいずれか一つに記載の槽体ユニット。
【請求項９】
前記受電ユニット２を取り替え可能に構成したことを特徴とする前記請求項８に記載の槽体ユニット。
【請求項１０】
前記受電ユニット２の負荷部３を撹拌装置１８としたことを特徴とする前記請求項１乃至請求項９のいずれか一つに記載の槽体ユニット。
【請求項１１】
前記受電ユニット２の負荷部３を粉砕装置１９としたことを特徴とする前記請求項１乃至請求項９のいずれか一つに記載の槽体ユニット。
【請求項１２】
前記受電ユニット２の負荷部３を温度調節装置としたことを特徴とする前記請求項１乃至請求項９のいずれか一つに記載の槽体ユニット。
【請求項１３】
前記温度調節装置を加熱装置２１としたことを特徴とする前記請求項１２に記載の槽体ユニット。
【請求項１４】
前記温度調節装置を冷却装置２０としたことを特徴とする前記請求項１２に記載の槽体ユニット。
【請求項１５】
前記受電ユニット２の負荷部３を記録媒体の再生装置２２としたことを特徴とする前記請求項１乃至請求項９のいずれか一つに記載の槽体ユニット。
【請求項１６】
前記受電ユニット２の負荷部３を超音波発生装置２３としたことを特徴とする前記請求項１乃至請求項９のいずれか一つに記載の槽体ユニット。
【請求項１７】
前記受電ユニット２の負荷部３を振動発生装置２４としたことを特徴とする前記請求項１乃至請求項９のいずれか一つに記載の槽体ユニット。
【請求項１８】
前記受電ユニット２の負荷部３を光源装置２５としたことを特徴とする前記請求項１乃至請求項９のいずれか一つに記載の槽体ユニット。
【請求項１９】
前記受電ユニット２の負荷部３をセンサー装置２６としたことを特徴とする前記請求項１乃至請求項９のいずれか一つに記載の槽体ユニット。
【請求項２０】
前記受電ユニット２の負荷部３を食器洗浄機２７としたことを特徴とする前記請求項１乃至請求項９のいずれか一つに記載の槽体ユニット。
【請求項２１】
前記受電ユニット２の負荷部３を充電装置２８としたことを特徴とする前記請求項１乃至請求項９のいずれか一つに記載の槽体ユニット。
【請求項２２】
前記受電ユニット２の負荷部３を、排水口８に備えられる弁体を上昇／下降駆動させる駆動装置２９としたことを特徴とする前記請求項１乃至請求項９のいずれか一つに記載の槽体ユニット。
【発明の詳細な説明】
【技術分野】
【０００１】
本発明は、槽体ユニットに用いられる非接触電源装置に関するものである。
【背景技術】
【０００２】
従来よく知られた、槽体ユニットとしては、例えば図１３に図示する槽体がある。以下に槽体ユニットの従来例を図面を参照しつつ説明する。
図１３に図示した従来の槽体は、台所における流し台であって、以下に記載する槽体部、キャビネット部、排水口、排水管部から構成される。
槽体部は、水を貯水／排水する凹部を有する箱体である。
キャビネット部は、槽体部を設置する箱状の台であって、内部に収納空間を有している。
排水口は、槽体部底面に開口した穴であって、槽体部内の水を槽体部の外部に排出するための開口である。
排水管部は、排水口の下流から下水管まで接続して、槽体部内の水を下水へと排出する部材であって、キャビネット部内に配置される。また、排水管部には、公知技術である、下水からの排水や害虫の室内側への逆流を防止する排水トラップを構成している。
以上のように構成された槽体ユニットは、以下のような排水の流れとなる。
槽体部に排水が発生すれば、槽体部内の水は排水口を介し、その後排水管部を介して最終的には下水管へと排水される。
【０００３】
また、従来よく知られた、槽体ユニットとしては、例えば図１４に図示する槽体がある。以下に槽体ユニットの従来例を図面を参照しつつ説明する。
図１４に図示した従来の槽体は、洗面台における洗面ボウルであって、以下に記載する槽体部、キャビネット部、排水口、排水管部から構成される。
槽体部は、水を貯水／排水する凹部を有する箱体である。
キャビネット部は、槽体部を設置する箱状の台であって、内部に収納空間を有している。
排水口は、槽体部底面に開口した穴であって、槽体部内の水を槽体部の外部に排出するための開口である。
また、本実施例では、排水口の止水／排水を行う弁体を配置し、当該弁体は操作部からの操作で遠隔的に止水／排水を行う公知の遠隔操作式排水栓装置を備える。この遠隔操作式排水栓装置は、レリースワイヤを用いることで、操作部の操作をレリースワイヤを介して排水口の弁体に伝動して作動させる装置である。
排水管部は、排水口の下流から下水管まで接続して、槽体部内の水を下水へと排出する部材であって、キャビネット部内に配置される。また、排水管部には、公知技術である、下水からの排水や害虫の室内側への逆流を防止する排水トラップを構成している。
以上のように構成された槽体ユニットは、以下のような排水の流れとなる。
槽体部に排水が発生すれば、槽体部内の水は排水口を介し、その後排水管部を介して最終的には下水管へと排水される。
【０００４】
また、従来よく知られた、槽体ユニットとしては、例えば図１５に図示する槽体がある。以下に槽体ユニットの従来例を図面を参照しつつ説明する。
図１５に図示した従来の槽体部は、浴室における浴槽であって、以下に記載する槽体部、防水パン部、エプロン部、排水口、排水管部から構成される。
槽体部は、水を貯水／排水する凹部を有する箱体であり、本従来例では浴槽である。
防水パン部は、槽体部を載置するパンと、洗い場を形成するパンから構成され、両者共に排水穴を開口している。
エプロン部は、防水パン部と槽体部を水密的に区画する板材であって、洗い場部から脱着自在に構成される。
排水口は、槽体部底面に開口した穴であって、槽体部内の水を槽体部の外部に排出するための開口である。
排水管部は、防水パン部の排水穴を介し排水口の下流から下水管まで接続して、槽体部内の水を下水へと排出する部材であって、防水パン部の裏面に配置される。洗い場側にも排水管は接続され、洗い場上の排水も排水管を介して排水される。また、排水管部には、公知技術である、下水からの排水や害虫の室内側への逆流を防止する排水トラップを構成している。
以上のように構成された槽体ユニットは、以下のような排水の流れとなる。
槽体部に排水が発生すれば、槽体部内の水は排水口を介し、その後排水管部を介して最終的には下水管へと排水される。
【０００５】
【特許文献１】実登３００４７６２号公報
【特許文献２】特開２００３−２９３４１７号公報
【特許文献３】特開２００１−２４１０７９号公報
【発明の開示】
【発明が解決しようとする課題】
【０００６】
従来例のような槽体ユニットは、以下のような問題点があった。
通常、槽体ユニットでは大量に水を使用するが、このような槽体ユニットにおいて、何らかの電気手段を用いる場合については非常に注意を払わなければならない。なぜならば、水は導電率が高いため、このような水を大量に使用する機器において電気部品を用いると漏電の危険性が高く、漏電が発生すれば最悪の場合使用者の死亡など、重大事故発生の危険が高かった。このような危険が高いため、槽体において電気部材を用いることはできなかった。
また、電気機器と槽体ユニットは、漏電などの可能性があるため離れて設置されていることが多く、各種電気機器の負荷部から発生した液体や廃棄する液体については、わざわざ使用者が都度排水口のある槽体ユニットやゴミ箱に廃棄していたので非常に手間であった。
【０００７】
従って、本発明の槽体ユニットは、以下の課題を解決するために発明された。
１．水を多量に使用する槽体ユニットにおいて電気部材を用いることが出来ること。
２．水を多量に使用する槽体ユニットにおいて電気部材を用いても漏電の危険がないこと。
３．上記１．乃至２．の課題が解決できたことで、各種機器において、使用用途が格段に広がった。
【課題を解決するための手段】
【０００８】
請求項１に記載の本発明は、電力の供給を受けて仕事をする負荷部３を備えると共に、電気を送電する送電ユニット１、送電ユニット１からの送電を受電する受電ユニット２のそれぞれを完全分離で構成して、送電ユニット１から非接触に受電ユニット２に電力を供給する非接触電源装置６を、底面に排水口８を備えた槽体部７に一つのユニットとして組み込んで構成したことを特徴とする槽体ユニットである。
【０００９】
請求項２に記載の本発明は、前記負荷部３を受電ユニット２に一体的に構成したことを特徴とする前記段落０００８に記載の槽体ユニットである。
【００１０】
請求項３に記載の本発明は、前記槽体部７に、前記非接触電源装置６を複数構成したことを特徴とする前記段落０００８又は段落０００９に記載の槽体ユニットである。
【００１１】
請求項４に記載の本発明は、槽体部７内部に受電ユニット２が配置されることを特徴とする前記段落０００８乃至段落００１０のいずれか一つに記載の槽体ユニットである。
【００１２】
請求項５に記載の本発明は、槽体部７の排水口８に受電ユニット２が配置されることを特徴とする前記段落０００８乃至段落００１０のいずれか一つに記載の槽体ユニットである。
【００１３】
請求項６に記載の本発明は、槽体部７の上縁に構成される天板に受電ユニット２が配置されることを特徴とする前記段落０００８乃至段落００１０のいずれか一つに記載の槽体ユニットである。
【００１４】
請求項７に記載の本発明は、前記槽体ユニットに複数の槽体部７を構成したことを特徴とする前記段落０００８乃至段落００１３のいずれか一つに記載の槽体ユニットである。
【００１５】
請求項８に記載の本発明は、前記受電ユニット２を槽体部７から脱着自在に構成したことを特徴とする前記段落０００８乃至段落００１４のいずれか一つに記載の槽体ユニットである。
【００１６】
請求項９に記載の本発明は、前記受電ユニット２を取り替え可能に構成したことを特徴とする前記段落００１５に記載の槽体ユニットである。
【００１７】
請求項１０に記載の本発明は、前記受電ユニット２の負荷部３を撹拌装置１８としたことを特徴とする前記段落０００８乃至段落００１６のいずれか一つに記載の槽体ユニットである。
【００１８】
請求項１１に記載の本発明は、前記受電ユニット２の負荷部３を粉砕装置１９としたことを特徴とする前記段落０００８乃至段落００１６のいずれか一つに記載の槽体ユニットである。
【００１９】
請求項１２に記載の本発明は、前記受電ユニット２の負荷部３を温度調節装置としたことを特徴とする前記段落０００８乃至段落００１６のいずれか一つに記載の槽体ユニットである。
【００２０】
請求項１３に記載の本発明は、前記温度調節装置を加熱装置２１としたことを特徴とする前記段落００１９に記載の槽体ユニットである。
【００２１】
請求項１４に記載の本発明は、前記温度調節装置を冷却装置２０としたことを特徴とする前記段落００１９に記載の槽体ユニットである。
【００２２】
請求項１５に記載の本発明は、前記受電ユニット２の負荷部３を記録媒体の再生装置２２としたことを特徴とする前記段落０００８乃至段落００１６のいずれか一つに記載の槽体ユニットである。
【００２３】
請求項１６に記載の本発明は、前記受電ユニット２の負荷部３を超音波発生装置２３としたことを特徴とする前記段落０００８乃至段落００１６のいずれか一つに記載の槽体ユニットである。
【００２４】
請求項１７に記載の本発明は、前記受電ユニット２の負荷部３を振動発生装置２４としたことを特徴とする前記段落０００８乃至段落００１６のいずれか一つに記載の槽体ユニットである。
【００２５】
請求項１８に記載の本発明は、前記受電ユニット２の負荷部３を光源装置２５としたことを特徴とする前記段落０００８乃至段落００１６のいずれか一つに記載の槽体ユニットである。
【００２６】
請求項１９に記載の本発明は、前記受電ユニット２の負荷部３をセンサー装置２６としたことを特徴とする前記段落０００８乃至段落００１６のいずれか一つに記載の槽体ユニットである。
【００２７】
請求項２０に記載の本発明は、前記受電ユニット２の負荷部３を食器洗浄機２７としたことを特徴とする前記段落０００８乃至段落００１６のいずれか一つに記載の槽体ユニットである。
【００２８】
請求項２１に記載の本発明は、前記受電ユニット２の負荷部３を充電装置２８としたことを特徴とする前記段落０００８乃至段落００１６のいずれか一つに記載の槽体ユニットである。
【００２９】
請求項２２に記載の本発明は、前記受電ユニット２の負荷部３を、排水口８に備えられる弁体を上昇／下降駆動させる駆動装置２９としたことを特徴とする前記段落０００８乃至段落００１６のいずれか一つに記載の槽体ユニットである。
【発明の効果】
【００３０】
本発明の槽体ユニットは、以下の効果を奏する。
請求項１に記載の槽体ユニットは、非接触電源装置６をユニットとして槽体ユニットに構成したことで、水を多量に使用しても、漏電や感電の危険性がない。また、水を大量に使用する槽体部７に電気部材を用いることが出来るようになったので、各方面分野における使用用途が拡大した。
請求項２に記載の槽体ユニットは、負荷部３と受電ユニット２を一体的に構成したので、負荷部３と受電ユニット２のパーツが減り、当該パーツの組み立て及び施工性が向上することができるし、部材点数減によるコストダウンにもなる。
請求項３に記載の槽体ユニットは、非接触電源装置６を複数構成したことから、負荷部３を複数設置することが出来るので、多種多様の負荷部３を備えることが出来るようになる。
請求項４に記載の槽体ユニットは、槽体部７内部に受電ユニット２が配置されることから、負荷部３で使用した使用済み液体や、廃棄液体、こぼれ落ちた液体などを、そのまま排水口８を介して下水へと排水することが出来るので、負荷部３から発生した液体はゴミ箱や流し台にわざわざ都度排水しに行かずとも、その場で排水することができる。
請求項５に記載の槽体ユニットは、槽体部７の排水口８に受電ユニット２が配置されることから、槽体部７のスペースを使用することがないので、槽体部７を広く使用することができるし、負荷部３及び槽体部７に発生した排水はそのまま下水へと排水することができる。
請求項６に記載の槽体ユニットは、槽体部７の上縁部の天板に受電ユニット２を配置したことから、槽体部７の近傍に負荷部３を配置することができ、負荷部３で排水が発生すれば、使用者が煩わしいと感じずに負荷部３近傍の槽体部７に排水することができる。
請求項７に記載の槽体ユニットは、槽体部７を複数構成したことから、負荷部３の内容によって槽体部７毎に分別することができる。
請求項８に記載の槽体ユニットは、受電ユニット２を槽体部７から脱着自在に構成したことから、受電ユニット２を洗浄することができる。また、受電ユニット２を取り外すことで受電ユニット２の槽体部７のスペースを広く確保することができるので、使用者の作業性向上に繋がるし、槽体部７の清掃もしやすくなる。
請求項９に記載の槽体ユニットは、受電ユニット２を取り替え可能に構成したことから、他種類の負荷部３パーツを用意することで、使用者の使用用途によって適宜負荷部３を選択して使用することが出来る。
請求項１０に記載の槽体ユニットは、負荷部３を撹拌装置１８としたことから、例えば台所や飲食店などの槽体ユニットに用いられることで、ミキサーの用途として用いることが出来る。また、病院の槽体ユニットに用いられることで、薬剤の調剤用撹拌機の用途として用いることができるし、血液や試薬などの分析用の撹拌機として用いることができる。また、理髪店の槽体ユニットに用いられることで、髭剃り用のシェービングクリームの撹拌の用途として用いる。
請求項１１に記載の槽体ユニットは、負荷部３を粉砕装置１９としたことから、例えば台所の槽体ユニットに用いられることで、厨芥粉砕用のディスポーザーの用途や、食物粉砕用ミキサーの用途、飲食店の槽体ユニットに用いられることで氷粉砕の用途として用いることが出来る。
請求項１２に記載の槽体ユニットは、負荷部３を温度調節装置としたことから、例えば台所の槽体ユニットに用いられることで、調理保温や調理加熱、調理冷却の用途に用いられたり、その他各種温度調節用途に用いることが出来る。
請求項１３に記載の槽体ユニットは、温度調節装置を加熱装置２１としたことから、例えば台所の槽体ユニットに用いられることで、調理用加熱の用途、飲食店の槽体ユニットに用いられることで、酒の加熱・保温の用途、茶道用の槽体ユニットに用いられることで、茶道の保温用加熱・保温装置として用いることが出来る。また、理髪店の槽体ユニットに用いられることで、髭剃り用のシェービングクリームの撹拌の加熱・保温として用いることができる。
請求項１４に記載の槽体ユニットは、温度調節装置を冷却装置２０としたことから、例えば飲食店の槽体ユニットに用いられることで、ビールサーバーの冷却装置２０の用途や、ミニ冷蔵庫の用途として用いることが出来る。
請求項１５に記載の槽体ユニットは、負荷部３を記録媒体の再生装置２２としたことから、例えば浴室の槽体ユニットに用いられることで、音楽再生装置２２の用途や、ＤＶＤ再生装置２２の用途として用いることが出来る。
請求項１６に記載の槽体ユニットは、負荷部３を超音波発生装置２３としたことから、例えば洗面台の槽体ユニットに用いられることで、眼鏡洗浄機の用途や、コンタクト洗浄機の用途として用いることが出来る。
請求項１７に記載の槽体ユニットは、負荷部３を振動発生装置２４としたことから、各種研究施設や医療現場の槽体ユニットに用いられることで、各種試験機器の用途や、各種分析機器の用途として用いることができる。また、台所や各種設備機器の槽体ユニットに用いられることで、槽体部７自身の自動洗浄装置の用途や、食器を洗浄する洗浄装置の用途として用いることが出来る。
請求項１８に記載の槽体ユニットは、負荷部３を光源装置２５としたことから、各種設備機器の槽体ユニットに用いられることで、光源装置２５であるＬＥＤ装置の用途や、玩具の用途として用いることが出来る。
請求項１９に記載の槽体ユニットは、負荷部３をセンサー装置２６としたことから、各種研究施設や医療現場に用いられることで、各種試薬及び分析機器の用途として用いることが出来る。
請求項２０に記載の槽体ユニットは、負荷部３を食器洗浄機２７としたことから、槽体に食器を載置するだけで食器を洗浄することができ、従来のように食器洗浄機２７のスペースをわざわざ別に設ける必要がない。
請求項２１に記載の槽体ユニットは、負荷部３を充電装置２８としたことから、各種電気機器の充電に用いられ、例えば電気シェーバー、電動歯ブラシ、ドライヤーなどの用途として用いることが出来る。
請求項２２に記載の槽体ユニットは、負荷部３を排水口８に備えられる弁体を上昇／下降駆動させる駆動装置２９としたことから、排水口８の弁体を電動かつ安全に上下動の駆動を行うことができる。
【実施例】
【００３１】
以下に本発明の第１実施例を、図面を参照しつつ説明する。
図４に図示した本実施例の槽体ユニットは、図１に示す飲食店においてよく用いる一般的には流し台と呼ばれる槽体ユニットに用いられると共に、以下に記載する槽体部７、排水口８、排水管１５、キャビネット部９、蛇口１７、非接触電源装置６、から構成される。
槽体部７は、内部に水を貯水することができる箱体であって、底部に後記する排水口８を開口して構成する。
排水口８は、前記槽体部７底面に開口される穴であって、槽体部７内に貯水された水や、槽体部７で発生した排水を最終的には下水へと排水するための開口である。
排水管１５は、槽体部７下方から排水口８に接続される管体であって、当該実施例では後記するキャビネット部９内に配置される。排水管１５は最終的には下水管へと接続されると共に、当該実施例では排水管１５の途中位置に、下水管からの臭気や害虫が室内側へ逆流することを防止する排水トラップ装置１６を備えて構成される。
キャビネット部９は、槽体部７下方に設置される前面に開閉扉のある箱体であって、内部に洗剤や鍋などを収納する収納スペースと前記した排水管１５を備えて構成される。
蛇口１７は、槽体部７の天板に構成され、上水管と接続されているので、蛇口１７を開栓すると上水が蛇口１７から排出される。
非接触電源装置６は、受電ユニット２、送電ユニット１、電源プラグ４、電源５、負荷部３、から構成される。
送電ユニット１は、電気を送電する装置であり、具体的には銅線などの線材を螺旋状に巻いたコイルで高周波電磁界を発生させる装置である。本実施例では、キャビネット部９内の槽体部７裏側の槽体部７底面に相当する箇所に配置構成されている。
電源プラグ４は、後記する電源５から電力を送電ユニット１に入力する装置で、前記送電ユニット１に接続構成される。
受電ユニット２は、送電ユニット１からの送電を受電する装置であり、具体的には銅線などの線材を螺旋状に巻いたコイルで送電ユニット１の電磁界を電磁誘導で受電する装置である。そして、受電ユニット２は送電ユニット１からの電力を受電しなければならないので、槽体部７の裏面に設置されている送電ユニット１に対し、槽体部７を介してほぼ直上に配置して、送電ユニット１から電力を受電しなければならない。従って、受電ユニット２は槽体部７を介して送電ユニット１のほぼ直上に相当する槽体部７底面に脱着自在に配置される。
尚、送電ユニット１と受電ユニット２は完全分離で構成されているので、槽体部７の厚み部分を介して送電／受電を行っている。
また、槽体部７表側からは槽体部７裏面に配置されている送電ユニット１が目視できないから受電ユニット２をセットする箇所がわかりにくい。従って、本実施例では予め送電ユニット１の配置箇所が槽体部７表側から視認できるよう、槽体部７表側の送電ユニット１の配置箇所に相当する部分に印をつけている。このようにすることで、受電ユニット２を配置する個所は槽体部７表側から使用者がすぐ視認できるようにしている。
電源５は、負荷部３に連続して電力を供給するものであって、本実施例では、家庭用電源コンセントを指す。直、本実施例については、キャビネット部９内の壁面に構成された電源コンセントに、電源プラグ４を差し込むことで、電力を送電ユニット１側へ入力することが出来る。
負荷部３は、電力の供給を受けて仕事をする装置であり、前記受電ユニット２に一体的に構成される。本実施例では負荷部３として温度調節装置である冷却装置２０を備えている。具体的にはビールサーバーで、このビールサーバーはビールを抽出する際に瞬間的に冷却する冷却装置２０を備えている。
【００３２】
以上のように構成された槽体ユニットは、以下のように作動または使用する。
槽体部７に排水が発生した場合には、槽体部７の排水は槽体部７から排水口８を介し排水管１５へと排出され、更には排水管１５中の排水トラップ装置１６を介して最終的には下水へと排水される。
また、飲食店において、ビールを抽出したいときに、当該負荷部３を備えたビールサーバーを槽体部７の印のついた箇所に載置するだけで、冷たいビールを抽出することができる。また、ビールを抽出時にこぼれてしまっても、そのまま槽体ユニットの蛇口１７から槽体部７内に上水を流すことできれいに洗浄できるし、漏電などの危険もない。また、槽体部７内で食器洗いなどをする場合には槽体部７内部を広く使えた方が使いやすいので、その場合には負荷部３であるビールサーバーを取り外す事で槽体部７内部を広く使うことができる。この場合にももちろん漏電などの危険は全くない。
【００３３】
また、図１２に示したように、当該非接触電源装置６は以下のように電力を送電する。
高周波発振回路３１により高周波電流を発生させ、送電ユニット１のコイルで高周波電磁界を発生させる。そして、受電ユニット２のコイルで送電ユニット１の電磁界を電磁誘導で受電し、受電ユニット２の高周波電流を整流回路３２により直流に変換し、負荷部３まで電力を送電することが出来る。尚、送電コイル、受電コイルはフェライトコアに巻き線を施したものである。
【００３４】
以下に本発明の第２実施例を、図面を参照しつつ説明する。
図５に図示した本実施例の槽体ユニットは、図１に示す飲食店においてよく用いる一般的には流し台と呼ばれる槽体ユニットに用いられると共に、以下に記載する槽体部７、排水口８、排水管１５、キャビネット部９、蛇口１７、非接触電源装置６、から構成される。
槽体部７は、内部に水を貯水することができる箱体であって、底部に後記する排水口８を開口して構成する。
排水口８は、前記槽体部７底面に開口される穴であって、槽体部７内に貯水された水や、槽体部７で発生した排水を最終的には下水へと排水するための開口である。
排水管１５は、槽体部７下方から排水口８に接続される管体であって、当該実施例では後記するキャビネット部９内に配置される。排水管１５は最終的には下水管へと接続されると共に、当該実施例では排水管１５の途中位置に、下水管からの臭気や害虫が室内側へ逆流することを防止する排水トラップ装置１６を備えて構成される。
キャビネット部９は、槽体部７下方に設置される前面に開閉扉のある箱体であって、内部に洗剤や鍋などを収納する収納スペースと前記した排水管１５を備えて構成される。
蛇口１７は、槽体部７の天板に構成され、上水管と接続されているので、蛇口１７を開栓すると上水が蛇口１７から排出される。
非接触電源装置６は、受電ユニット２、送電ユニット１、電源プラグ４、電源５、負荷部３、から構成される。
送電ユニット１は、電気を送電する装置であり、具体的には銅線などの線材を螺旋状に巻いたコイルで高周波電磁界を発生させる装置である。本実施例では、キャビネット部９内の槽体部７裏側の槽体部７底面に相当する箇所及び槽体部７裏側の天板位置に相当する箇所に配置構成されている。
電源プラグ４は、後記する電源５から電力を送電ユニット１に入力する装置で、前記送電ユニット１に接続構成される。
受電ユニット２は、送電ユニット１からの送電を受電する装置であり、具体的には銅線などの線材を螺旋状に巻いたコイルで送電ユニット１の電磁界を電磁誘導で受電する装置である。そして、受電ユニット２は送電ユニット１からの電力を受電しなければならないので、槽体部７の裏面に設置されている送電ユニット１に対し、槽体部７を介してほぼ直上に配置して、送電ユニット１から電力を受電しなければならない。従って、受電ユニット２は槽体部７を介して送電ユニット１のほぼ直上に相当する槽体部７底面及び槽体部７の天板に脱着自在に配置される。
尚、送電ユニット１と受電ユニット２は完全分離で構成されているので、槽体部７の厚み部分を介して送電／受電を行っている。
また、槽体部７表側からは槽体部７裏面に配置されている送電ユニット１が目視できないから受電ユニット２をセットする箇所がわかりにくい。従って、本実施例では予め送電ユニット１の配置箇所が槽体部７表側から視認できるよう、槽体部７表側の送電ユニット１の配置箇所に相当する部分に印をつけている。このようにすることで、受電ユニット２を配置する個所は槽体部７表側から使用者がすぐ視認できるようにしている。
電源５は、負荷部３に連続して電力を供給するものであって、本実施例では、家庭用電源コンセントを指す。直、本実施例については、キャビネット部９内の壁面に構成された電源コンセントに、電源プラグ４を差し込むことで、電力を送電ユニット１側へ入力することが出来る。
負荷部３は、電力の供給を受けて仕事をする装置であり、前記受電ユニット２に一体的に構成される。本実施例では負荷部３として槽体部７底面に配置される負荷部３は撹拌装置１８が備えられて、調理用の撹拌装置１８（一般的にはミキサーと呼ぶ）として用いられる。また、槽体部７天板上の負荷部３は温度調節装置である加温・保温装置が備えられて、日本酒の熱燗の保温・加熱装置２１として用いられる。
【００３５】
以上のように構成された槽体ユニットは、以下のように作動または使用する。
槽体部７に排水が発生した場合には、槽体部７の排水は槽体部７から排水口８を介し排水管１５へと排出され、更には排水管１５中の排水トラップ装置１６を介して最終的には下水へと排水される。
また、飲食店において、例えば卵を撹拌する場合、撹拌には人間が行うと非常に時間が掛かるものであるが、本実施例では負荷部３であるミキサーを槽体部７底面の印の上に載置し、卵を負荷部３のミキサーに投入するだけで自動的に撹拌できるので、撹拌中にその他の仕事を行いながら調理をすることが出来る。また、日本酒の熱燗においては温度管理が非常に難しいが、電気的制御で温度を一定に保つことが出来るので、いつどんなときにでもすぐさま熱燗を用意することが出来る。そして、仮にミキサーから撹拌物が飛び出したりしてもすぐさま蛇口１７から水を出すだけで槽体部７内部を簡単に清掃することができる。また、このような使用状況でも漏電の可能性はない。また、槽体部７内で食器洗いなどをする場合には槽体部７内部を広く使えた方が使いやすいので、その場合には負荷部３であるミキサーを取り外す事で槽体部７内部を広く使うことができる。この場合にももちろん漏電などの危険は全くない。
また、本実施例においての非接触電源装置６の送電は、段落００３３に記載した内容と同じ原理であるため省略する。
【００３６】
以下に本発明の第３実施例を、図面を参照しつつ説明する。
図６に図示した本実施例の槽体ユニットは、図１に示す家庭の台所において用いる一般的には流し台と呼ばれる槽体ユニットに用いられると共に、以下に記載する槽体部７、排水口８、排水管１５、キャビネット部９、蛇口１７、非接触電源装置６、から構成される。
槽体部７は、内部に水を貯水することができる箱体であって、底部に後記する排水口８を開口して構成する。また、本実施例では大きさの相違する槽体部７を２個構成してなり、本実施例では、便宜上大きい槽体部７を槽体部７と呼称し、小さい槽体部７をポケットシンク１０と呼称する。
排水口８は、前記槽体部７底面及びポケットシンク１０底面に開口される穴であって、槽体部７やポケットシンク１０内に貯水された水や排水を最終的には下水へと排水するための開口である。
排水管１５は、槽体部７下方及びポケットシンク１０下方から排水口８に接続される管体であって、当該実施例では後記するキャビネット部９内に配置される。槽体部７排水口８からの排水管１５とポケットシンク１０排水口８からの排水管１５は合流し、最終的には下水管へと接続される。尚、当該実施例では排水管１５の途中位置に、下水管からの臭気や害虫が室内側へ逆流することを防止する排水トラップ装置１６を備えて構成される。
キャビネット部９は、槽体部７下方に設置される前面に開閉扉のある箱体であって、内部に洗剤や鍋などを収納する収納スペースと前記した排水管１５を備えて構成される。
蛇口１７は、槽体部７の天板に構成され、上水管と接続されているので、蛇口１７を開栓すると上水が蛇口１７から排出される。尚、当該蛇口１７は槽体部７内及びポケットシンク１０の両方共に上水を供給できるように配置構成されている。
非接触電源装置６は、受電ユニット２、送電ユニット１、電源プラグ４、電源５、負荷部３、から構成される。
送電ユニット１は、電気を送電する装置であり、具体的には銅線などの線材を螺旋状に巻いたコイルで高周波電磁界を発生させる装置である。本実施例では、キャビネット部９内の槽体部７裏側方向の排水口８の下方の排水管１５に配置構成され、他方のポケットシンク１０裏面にも複数の送電ユニット１を配置構成して成る。
電源プラグ４は、後記する電源５から電力を送電ユニット１に入力する装置で、前記送電ユニット１に接続構成される。
受電ユニット２は、送電ユニット１からの送電を受電する装置であり、具体的には銅線などの線材を螺旋状に巻いたコイルで送電ユニット１の電磁界を電磁誘導で受電する装置である。そして、受電ユニット２は送電ユニット１からの電力を受電しなければならないので、ポケットシンク１０の裏面及び排水口８の裏面の排水管１５付近に設置されている送電ユニット１に対し、ポケットシンク１０や排水管１５を介してほぼ直上に配置して、送電ユニット１から電力を受電しなければならない。従って、受電ユニット２はポケットシンク１０や排水管１５を介して送電ユニット１のほぼ直上に相当するポケットシンク１０底面及び排水口８付近に脱着自在に配置される。
尚、送電ユニット１と受電ユニット２は完全分離で構成されているので、ポケットシンク１０もしくは排水管１５の厚み部分を介して送電／受電を行っている。
電源５は、負荷部３に連続して電力を供給するものであって、本実施例では、家庭用電源コンセントを指す。尚、本実施例については、キャビネット部９内の壁面に構成された電源コンセントに、電源プラグ４を差し込むことで、電力を送電ユニット１側へ入力することが出来る。
負荷部３は、電力の供給を受けて仕事をする装置であり、前記受電ユニット２に一体的に構成される。本実施例では排水口８に配置される受電ユニット２に負荷部３として粉砕装置１９が備えられる。この粉砕装置１９は調理用の粉砕装置１９（一般的にはディスポーザーと呼ぶ）として用いられ、主に台所で発生した調理中の厨芥や食べ残しなどの厨芥を粉砕して下水へと排出する装置として備えられる。また、他方のポケットシンク１０底面の複数の負荷部３は、例えば調理用の持ち運び可能な撹拌装置１８（一般的にはハンドミキサーと呼ぶ）や、入れ歯などを洗浄する超音波発生装置２３、そして充電装置２８として電動式歯ブラシが備えられてそれぞれの用途で用いられる。また、本実施例ではポケットシンク１０に沿うようにカバー体３０を構成した。このカバー体３０は、ポケットシンク１０及びポケットシンク１０底面の複数の受電ユニット２の上に被さるように装着でき、このカバー体３０底面にも超音波発生装置２３である負荷部３をそなえ、ポケットシンク１０に取り付けられたときにポケットシンク１０底面の受電ユニット２から電力を受電する構造となっている。尚、このカバー体３０が取り付けられた場合には、ポケットシンク１０自身が超音波発生装置２３となっているため、食器などを当該ポケットシンク１０に入れるだけで食器を超音波洗浄することができる。
【００３７】
以上のように構成された槽体ユニットは、以下のように作動または使用する。
槽体部７に排水が発生した場合には、槽体部７から排水口８を介して排水管１５の合流部を通過し排水管１５へと排出され、更には排水管１５中の排水トラップ装置１６を介して最終的には下水へと排水される。また、ポケットシンク１０に排水が発生した場合にも、ポケットシンク１０から排水口８を介して排水管１５の合流部を通過し排水管１５へと排出され、更には排水管１５中の排水トラップ装置１６を介して最終的には下水へと排水される。
また、台所において、調理中に発生する厨芥や食後の食べ残しなどの厨芥が発生した場合場合には、排水口８内にその厨芥を投入してスイッチを入れるだけで粉砕装置１９が作動し、厨芥を細かく粉砕してそのまま排水管１５下流へ排水するので、わざわざゴミ箱などに生ごみを捨てる必要がないので非常に手軽であるし、調理中の手間もなくなる。
また、調理中に卵や粉体の撹拌などを使用する場合はポケットシンク１０で充電している撹拌装置１８を使用したり、入れ歯などの清掃がしたければポケットシンク１０内の超音波発生装置２３で清掃したり、ポケットシンク１０内で充電した電動歯ブラシで歯磨きなどを行ってもよい。また、食器などを洗浄したければ、カバー体３０をポケットシンク１０内に設置するだけで、カバー体３０に内蔵されている超音波発生装置２３が作動して、ポケットシンク１０内の食器を超音波洗浄することができる。
そして、ポケットシンク１０内が汚れても、すぐさま蛇口１７から水を出すだけでポケットシンク１０内部を簡単に清掃することができる。また、このような使用状況でも漏電の可能性はない。また、槽体部７に排水しても、もちろん漏電などの危険は全くない。
また、本実施例においての非接触電源装置６の送電は、段落００３３に記載した内容と同じ原理であるため省略する。
【００３８】
以下に本発明の第４実施例を、図面を参照しつつ説明する。
図７に図示した本実施例の槽体ユニットは、図２に示す家庭においてよく用いる一般的には洗面台と呼ばれる槽体ユニットに用いられると共に、以下に記載する槽体部７、排水口８、排水管１５、キャビネット部９、蛇口１７、非接触電源装置６、から構成される。
槽体部７は、内部に水を貯水することができる箱体であって、底部に後記する排水口８を開口して構成する。また、槽体部７側面には、槽体部７内に貯水される排水があふれ出すことを防止するためのオーバーフロー口１１を開口している。
排水口８は、前記槽体部７底面に開口される穴であって、槽体部７内に貯水された水や、槽体部７で発生した排水を最終的には下水へと排水するための開口である。
排水管１５は、槽体部７下方から排水口８に接続される管体であって、当該実施例では後記するキャビネット部９内に配置される。また、オーバーフロー口１１にも排水管１５が接続され、排水口８からの排水管１５と適宜箇所で合流して構成される。排水管１５は最終的には下水管へと接続されると共に、当該実施例では排水管１５の途中位置に、下水管からの臭気や害虫が室内側へ逆流することを防止する排水トラップ装置１６を備えて構成される。
キャビネット部９は、槽体部７下方に設置される前面に開閉扉のある箱体であって、内部に洗剤や鍋などを収納する収納スペースと前記した排水管１５を備えて構成される。
蛇口１７は、槽体部７の天板に構成され、上水管と接続されているので、蛇口１７を開栓すると上水が蛇口１７から排出される。
非接触電源装置６は、受電ユニット２、送電ユニット１、電源プラグ４、電源５、負荷部３、から構成される。
送電ユニット１は、電気を送電する装置であり、具体的には銅線などの線材を螺旋状に巻いたコイルで高周波電磁界を発生させる装置である。本実施例では、キャビネット部９内の槽体部７裏側の槽体部７底面に相当する箇所に配置構成されている。また、槽体部７のオーバーフロー口１１の側面に位置する裏面にも送電ユニット１が配置構成されている。
電源プラグ４は、後記する電源５から電力を送電ユニット１に入力する装置で、前記送電ユニット１に接続構成される。
受電ユニット２は、送電ユニット１からの送電を受電する装置であり、具体的には銅線などの線材を螺旋状に巻いたコイルで送電ユニット１の電磁界を電磁誘導で受電する装置である。そして、受電ユニット２は送電ユニット１からの電力を受電しなければならないので、槽体部７の裏面に設置されている送電ユニット１に対しては、槽体部７を介してほぼ直上に配置して、送電ユニット１から電力を受電しなければならない。従って、受電ユニット２は槽体部７を介して送電ユニット１のほぼ直上に相当する槽体部７底面に脱着自在に配置される。また、オーバーフロー口１１の裏面の側面位置に設置されている送電ユニット１に対しては、槽体部７を介して槽体部７のオーバーフロー口１１の位置する側面方向に配置して、送電ユニット１から電力を受電させる。従って、受電ユニット２は槽体部７を介して送電ユニット１のほぼ側面に相当する槽体部７側面のオーバーフロー口１１に脱着自在に配置される。
尚、送電ユニット１と受電ユニット２は完全分離で構成されているので、槽体部７の厚み部分を介して送電／受電を行っている。
また、槽体部７表側からは槽体部７裏面に配置されている送電ユニット１が目視できないから受電ユニット２をセットする箇所がわかりにくい。従って、本実施例では予め送電ユニット１の配置箇所が槽体部７表側から視認できるよう、槽体部７表側の送電ユニット１の配置箇所に相当する部分に印をつけている。このようにすることで、受電ユニット２を配置する個所は槽体部７表側から使用者がすぐ視認できるようにしている。
電源５は、負荷部３に連続して電力を供給するものであって、本実施例では、家庭用電源コンセントを指す。直、本実施例については、キャビネット部９内の壁面に構成された電源コンセントに、電源プラグ４を差し込むことで、電力を送電ユニット１側へ入力することが出来る。
負荷部３は、電力の供給を受けて仕事をする装置であり、前記受電ユニット２に一体的に構成される。本実施例では槽体部７底面に備えた負荷部３として超音波発生装置２３を備えている。具体的にはコンタクトレンズ洗浄機である。
また、オーバーフロー口１１の受電ユニット２に一体的に備えられた負荷部３はセンサー装置２６であり、具体的には、槽体部７内の水位を検出するセンサー装置２６が備えられている。
【００３９】
以上のように構成された槽体ユニットは、以下のように作動または使用する。
槽体部７に排水が発生した場合には、槽体部７の排水は槽体部７から排水口８を介し排水管１５へと排出され、合流部を介して排水管１５中の排水トラップ装置１６を介して最終的には下水へと排水される。
また、槽体部７内の水が溢れそうになれば、槽体部７側面に構成されたオーバーフロー口１１から排水が排水管１５へ排出され、この排水も合流部を介して排水管１５中の排水トラップ装置１６を介して最終的には下水へと排水される。
また、洗面ボウルにおいて、コンタクトレンズを清掃したいときに、当該負荷部３である超音波発生装置２３を槽体部７の印のついた箇所に載置するだけで、超音波発生装置２３に電力を供給することが出来る。また、槽体部７内に排水が貯水され、オーバーフロー口１１からの排水量をも超えた場合には、オーバーフロー口１１に設置された水位検出装置（センサー装置２６）が水位を検知し、警告音を発信することで使用者に知らしめることができ、排水が槽体部７からあふれ出すことを防止することができる。
また、超音波発生装置２３内の水溶液を排出するのも槽体部７内に排水するので、わざわざ排水する場所への移動がなく、手間が必要ない。そして、当該水溶液などによる漏電などの危険もない。また、槽体部７内を広く使う場合には負荷部３である超音波発生装置２３を取り外す事で槽体部７内部を広く使うことができる。この場合にももちろん漏電などの危険は全くない。
また、本実施例においての非接触電源装置６の送電は、段落００３３に記載した内容と同じ原理であるため省略する。
【００４０】
以下に本発明の第５実施例を、図面を参照しつつ説明する。
図８に図示した本実施例の槽体ユニットは、図２に示す家庭においてよく用いる一般的には洗面台と呼ばれる槽体ユニットに用いられると共に、以下に記載する槽体部７、排水口８、排水管１５、キャビネット部９、蛇口１７、非接触電源装置６、から構成される。
槽体部７は、内部に水を貯水することができる箱体であって、底部に後記する排水口８を開口して構成する。
排水口８は、前記槽体部７底面に開口される穴であって、槽体部７内に貯水された水や、槽体部７で発生した排水を最終的には下水へと排水するための開口である。
排水管１５は、槽体部７下方から排水口８に接続される管体であって、当該実施例では後記するキャビネット部９内に配置される。排水管１５は最終的には下水管へと接続されると共に、当該実施例では排水管１５の途中位置に、下水管からの臭気や害虫が室内側へ逆流することを防止する排水トラップ装置１６を備えて構成される。
キャビネット部９は、槽体部７下方に設置される前面に開閉扉のある箱体であって、内部に洗剤や鍋などを収納する収納スペースと前記した排水管１５を備えて構成される。
蛇口１７は、槽体部７の天板に構成され、上水管と接続されているので、蛇口１７を開栓すると上水が蛇口１７から排出される。
非接触電源装置６は、受電ユニット２、送電ユニット１、電源プラグ４、電源５、負荷部３、から構成される。
送電ユニット１は、電気を送電する装置であり、具体的には銅線などの線材を螺旋状に巻いたコイルで高周波電磁界を発生させる装置である。本実施例では、キャビネット部９内の槽体部７裏側の槽体部７側面に相当する箇所に配置構成されている。また、槽体部７裏側の排水口８の直下位置に相当する排水管１５にも送電ユニット１が配置構成されている。
電源プラグ４は、後記する電源５から電力を送電ユニット１に入力する装置で、前記送電ユニット１に接続構成される。
受電ユニット２は、送電ユニット１からの送電を受電する装置であり、具体的には銅線などの線材を螺旋状に巻いたコイルで送電ユニット１の電磁界を電磁誘導で受電する装置である。そして、受電ユニット２は送電ユニット１からの電力を受電しなければならないので、槽体部７の裏面に設置されている送電ユニット１に対し、槽体部７を介してほぼ側面に配置して、送電ユニット１から電力を受電しなければならない。従って、受電ユニット２は槽体部７を介して送電ユニット１のほぼ側面に相当する槽体部７底面に脱着自在に配置される。また、同じ理由から、槽体部７の裏面の排水口８の直下に設置されている送電ユニット１に対し、排水管１５を介してほぼ直上に配置して、送電ユニット１から電力を受電し、受電ユニット２は排水管１５を介して送電ユニット１のほぼ直上に相当する排水口８直下位置に脱着自在に配置される。
尚、送電ユニット１と受電ユニット２は完全分離で構成されているので、槽体部７又は排水管１５の厚み部分を介して送電／受電を行っている。
電源５は、負荷部３に連続して電力を供給するものであって、本実施例では、家庭用電源コンセントを指す。直、本実施例については、キャビネット部９内の壁面に構成された電源コンセントに、電源プラグ４を差し込むことで、電力を送電ユニット１側へ入力することが出来る。
負荷部３は、電力の供給を受けて仕事をする装置であり、前記受電ユニット２に一体的に構成される。本実施例では槽体部７側面に備えられた受電ユニット２の負荷部３として光源装置２５であるＬＥＤ装置を備えている。具体的には暗い槽体部７付近を明るく照射する装置である。また、排水口８直下に備えられる受電ユニット２の負荷部３は、排水口８に備えられる遠隔操作式排水栓装置の駆動装置２９であって、この駆動装置２９は操作部（図示せず）からの操作により駆動し、排水口８内に配置している弁体を上下動させる上に、この上動又は下動の弁体を位置固定までを行うことができる。また、弁体は上動時には槽体部７内の排水を排水口８から排水管１５へ排出させ、弁体の下動時は排水口８を閉口させて、槽体部７内の排水を槽体部７内に貯水することができる。
【００４１】
以上のように構成された槽体ユニットは、以下のように作動または使用する。
槽体部７に排水が発生した場合には、槽体部７の排水は槽体部７から排水口８を介し排水管１５へと排出され、更には排水管１５中の排水トラップ装置１６を介して最終的には下水へと排水される。
また、家庭において、真夜中などに槽体部７を使用したい際、わざわざ室内の電気を点灯せずとも槽体部７側面の光源装置２５であるＬＥＤ装置を点灯するだけで槽体部７内がＬＥＤ装置により照射することができるので、点灯箇所の削減になり、その分の電気代が削減できる。また、遠隔操作式排水栓装置を設置したことにより、排水口８の止水・排水を遠隔操作により行うことができるので、老人や子供でも手軽で簡単に操作することが出来るようになった。また、これらの電力供給手段を非接触電源装置６を用いるので、漏電や感電の恐れもないので安全に使うことが出来る。また、特に遠隔操作式排水栓装置では、従来のようにワイヤー部材などの部材を使用しないため、排水口８及び排水管１５内が凹凸なくフラットに出来るので、排水管１５内の清掃も容易となる。
また、本実施例においての非接触電源装置６の送電は、段落００３３に記載した内容と同じ原理であるため省略する。
【００４２】
以下に本発明の第６実施例を、図面を参照しつつ説明する。
図９に図示した本実施例の槽体ユニットは、図２に示す医療施設や開発研究施設においてよく用いる一般的には流し台と呼ばれる槽体ユニットに用いられると共に、以下に記載する槽体部７、排水口８、排水管１５、キャビネット部９、蛇口１７、非接触電源装置６、から構成される。
槽体部７は、内部に水を貯水することができる箱体であって、底部に後記する排水口８を開口して構成する。
排水口８は、前記槽体部７底面に開口される穴であって、槽体部７内に貯水された水や、槽体部７で発生した排水を最終的には下水へと排水するための開口である。
排水管１５は、槽体部７下方から排水口８に接続される管体であって、当該実施例では後記するキャビネット部９内に配置される。排水管１５は最終的には下水管へと接続されると共に、当該実施例では排水管１５の途中位置に、下水管からの臭気や害虫が室内側へ逆流することを防止する排水トラップ装置１６を備えて構成される。
キャビネット部９は、槽体部７下方に設置される前面に開閉扉のある箱体であって、内部に洗剤や鍋などを収納する収納スペースと前記した排水管１５を備えて構成される。
蛇口１７は、槽体部７の天板に構成され、上水管と接続されているので、蛇口１７を開栓すると上水が蛇口１７から排出される。
非接触電源装置６は、受電ユニット２、送電ユニット１、電源プラグ４、電源５、負荷部３、から構成される。
送電ユニット１は、電気を送電する装置であり、具体的には銅線などの線材を螺旋状に巻いたコイルで高周波電磁界を発生させる装置である。本実施例では、キャビネット部９内の槽体部７裏側の槽体部７底面に相当する箇所に配置構成されている。また、槽体部７裏側の排水口８の直下位置に相当する排水管１５にも送電ユニット１が配置構成されている。
電源プラグ４は、後記する電源５から電力を送電ユニット１に入力する装置で、前記送電ユニット１に接続構成される。
受電ユニット２は、送電ユニット１からの送電を受電する装置であり、具体的には銅線などの線材を螺旋状に巻いたコイルで送電ユニット１の電磁界を電磁誘導で受電する装置である。そして、受電ユニット２は送電ユニット１からの電力を受電しなければならないので、槽体部７の裏面に設置されている送電ユニット１に対し、槽体部７を介してほぼ直上に配置して、送電ユニット１から電力を受電しなければならない。従って、受電ユニット２は槽体部７を介して送電ユニット１のほぼ直上に相当する槽体部７底面に脱着自在に配置される。また、同じ理由から、槽体部７の裏面の排水口８の直下に位置するよう設置されている送電ユニット１に対し、排水管１５を介してほぼ直上に配置して、送電ユニット１から電力を受電し、受電ユニット２は排水管１５を介して送電ユニット１のほぼ直上に相当する排水口８直下位置に脱着自在に配置される。
尚、送電ユニット１と受電ユニット２は完全分離で構成されているので、槽体部７または排水管１５の厚み部分を介して送電／受電を行っている。
また、槽体部７表側からは槽体部７裏面に配置されている送電ユニット１が目視できないから受電ユニット２をセットする箇所がわかりにくい。従って、本実施例では予め送電ユニット１の配置箇所が槽体部７表側から視認できるよう、槽体部７表側の送電ユニット１の配置箇所に相当する部分に印をつけている。このようにすることで、受電ユニット２を配置する個所は槽体部７表側から使用者がすぐ視認できるようにしている。
電源５は、負荷部３に連続し電力を供給するものであって、本実施例では、家庭用電源コンセントを指す。直、本実施例については、キャビネット部９内の壁面に構成された電源コンセントに、電源プラグ４を差し込むことで、電力を送電ユニット１側へ入力することが出来る。
負荷部３は、電力の供給を受けて仕事をする装置であり、前記受電ユニット２に一体的に構成される。本実施例では負荷部３として振動発生装置２４または撹拌装置１８である各種分析装置、各種調剤装置を備えている。尚、当該振動発生装置２４と撹拌装置１８は、それぞれ適宜脱着して取り替えることが可能である。これらは使用に応じて適宜取り替えることができる。
また、排水口８直下に備えられる受電ユニット２の負荷部３は、排水口８に備えられる遠隔操作式排水栓装置の駆動装置２９であって、この駆動装置２９は操作部（図示せず）からの操作により駆動し、排水口８内に配置している弁体を上下動させる上に、この上動又は下動の弁体を位置固定までを行うことができる。また、弁体は上動時には槽体部７内の排水を排水口８から排水管１５へ排出させ、弁体の下動時は排水口８を閉口させて、槽体部７内の排水を槽体部７内に貯水することができる。
【００４３】
以上のように構成された槽体ユニットは、以下のように作動または使用する。
槽体部７に排水が発生した場合には、槽体部７の排水は槽体部７から排水口８を介し排水管１５へと排出され、更には排水管１５中の排水トラップ装置１６を介して最終的には下水へと排水される。
また、医療施設、開発研究施設において、調剤などの撹拌や血液の撹拌を行いたい場合は撹拌装置１８を用いたり、薬剤の分析や血液の分析を行いたい場合において振動発生装置２４を用いることで、各種血液や薬剤の分析や撹拌などを行うことができる。また、これらの分析や撹拌が行った薬剤については、法律で許される範囲内においてそのまま下水へと排出することができる。そして、この撹拌装置１８や振動発生装置２４を洗浄する場合もこの槽体部７内で行うことができる。また、遠隔操作式排水栓装置を設置したことにより、排水口８の止水・排水を遠隔操作により行うことができるので、老人や子供でも手軽で簡単に操作することが出来るようになった。また、これらの電力供給手段を非接触電源装置６を用いるので、漏電や感電の恐れもないので安全に使うことが出来る。また、特に遠隔操作式排水栓装置では、従来のようにワイヤー部材などの部材を使用しないため、排水口８及び排水管１５内が凹凸なくフラットに出来るので、排水管１５内の清掃も容易となる。
また、本実施例においての非接触電源装置６の送電は、段落００３３に記載した内容と同じ原理であるため省略する。
【００４４】
以下に本発明の第７実施例を、図面を参照しつつ説明する。
図１０に図示した本実施例の槽体ユニットは、図３に示す浴室においてよく用いる一般的には浴室の浴槽と呼ばれる槽体ユニットに用いられると共に、以下に記載する槽体部７、防水パン部１２、エプロン部１４、排水口８、排水管１５、蛇口１７、非接触電源装置６、から構成される。
槽体部７は、内部に水を貯水することができる箱体であって、底部に後記する排水口８を開口して構成する。本実施例では浴槽を槽体部７として備える。
防水パン部１２は、槽体部７を載置するパンと、洗い場を形成するパンから構成され、両者共に排水穴１３を開口している。
エプロン部１４は、防水パン部１２と槽体部７を水密的に区画する板材であって、洗い場部から脱着自在に構成される。
排水口８は、前記槽体部７底面に開口される穴であって、槽体部７内に貯水された水や、槽体部７で発生した排水を最終的には下水へと排水するための開口である。
排水管１５は、槽体部７下方から排水口８に接続される管体であって、当該実施例では防水パン部１２の排水穴１３を介して防水パン部１２裏側に配置される。排水管１５は最終的には下水管へと接続されると共に、当該実施例では排水管１５の途中位置に、下水管からの臭気や害虫が室内側へ逆流することを防止する排水トラップ装置１６を備えて構成される。
蛇口１７は、槽体部７の天板に構成され、上水管と接続されているので、蛇口１７を開栓すると上水が蛇口１７から排出される。
非接触電源装置６は、受電ユニット２、送電ユニット１、電源プラグ４、電源５、負荷部３、から構成される。
送電ユニット１は、電気を送電する装置であり、具体的には銅線などの線材を螺旋状に巻いたコイルで高周波電磁界を発生させる装置である。本実施例では、槽体部７側面方向の槽体部７裏面側に相当する箇所に配置構成されている。尚、当該槽体部７裏面はエプロン部１４で水密的に区切られている。
電源プラグ４は、後記する電源５から電力を送電ユニット１に入力する装置で、前記送電ユニット１に接続構成される。
受電ユニット２は、送電ユニット１からの送電を受電する装置であり、具体的には銅線などの線材を螺旋状に巻いたコイルで送電ユニット１の電磁界を電磁誘導で受電する装置である。そして、受電ユニット２は送電ユニット１からの電力を受電しなければならないので、槽体部７の裏側に設置されている送電ユニット１に対し、槽体部７を介してほぼ側面となるように配置して、送電ユニット１から電力を受電しなければならない。従って、受電ユニット２は槽体部７を介して送電ユニット１のほぼ側面に相当する槽体部７側面に脱着自在に配置される。
尚、送電ユニット１と受電ユニット２は完全分離で構成されているので、槽体部７の厚み部分を介して送電／受電を行っている。
また、槽体部７表側からは槽体部７裏面に配置されている送電ユニット１が目視できないから受電ユニット２をセットする箇所がわかりにくい。従って、本実施例では予め送電ユニット１の配置箇所が槽体部７表側から視認できるよう、槽体部７表側の送電ユニット１の配置箇所に相当する部分に印をつけている。このようにすることで、受電ユニット２を配置する個所は槽体部７表側から使用者がすぐ視認できるようにしている。
電源５は、負荷部３に連続して電力を供給するものであって、本実施例では、家庭用電源コンセントを指す。直、本実施例については、エプロン部１４で水密的に区切られた壁面に構成された電源コンセントに、電源プラグ４を差し込むことで、電力を送電ユニット１側へ入力することが出来る。
負荷部３は、電力の供給を受けて仕事をする装置であり、前記受電ユニット２に一体的に構成される。本実施例では負荷部３として記録媒体に記録された音楽再生装置２２を備えている。
【００４５】
以上のように構成された槽体ユニットは、以下のように作動または使用する。
槽体部７に排水が発生した場合には、槽体部７の排水は槽体部７から排水口８を介し排水管１５へと排出され、更には排水管１５中の排水トラップ装置１６を介して最終的には下水へと排水される。
また、入浴中において、リラックス効果などを目的として音楽を楽しみたい場合、音楽再生装置２２を再生するだけで音楽を再生することが出来、音楽を楽しむことが出来る。また、槽体部７内を清掃したい場合などは再生装置２２を取り外すことができるので、槽体部７内の隅々を清掃することができる。また、電力を非接触電源装置６を用いているので漏電の危険もない。
また、本実施例においての非接触電源装置６の送電は、段落００３３に記載した内容と同じ原理であるため省略する。
【００４６】
以下に本発明の第８実施例を、図面を参照しつつ説明する。
図１１に図示した本実施例の槽体ユニットは、図１に示す台所においてよく用いる一般的には流し台と呼ばれる槽体ユニットに用いられると共に、以下に記載する槽体部７、排水口８、排水管１５、キャビネット部９、蛇口１７、非接触電源装置６、から構成される。
槽体部７は、内部に水を貯水することができる箱体であって、底部に後記する排水口８を開口して構成する。
排水口８は、前記槽体部７底面に開口される穴であって、槽体部７内に貯水された水や、槽体部７で発生した排水を最終的には下水へと排水するための開口である。
排水管１５は、槽体部７下方から排水口８に接続される管体であって、当該実施例では後記するキャビネット部９内に配置される。排水管１５は最終的には下水管へと接続されると共に、当該実施例では排水管１５の途中位置に、下水管からの臭気や害虫が室内側へ逆流することを防止する排水トラップ装置１６を備えて構成される。
キャビネット部９は、槽体部７下方に設置される前面に開閉扉のある箱体であって、内部に洗剤や鍋などを収納する収納スペースと前記した排水管１５を備えて構成される。
蛇口１７は、槽体部７の天板に構成され、上水管と接続されているので、蛇口１７を開栓すると上水が蛇口１７から排出される。
非接触電源装置６は、受電ユニット２、送電ユニット１、電源プラグ４、電源５、負荷部３、から構成される。
送電ユニット１は、電気を送電する装置であり、具体的には銅線などの線材を螺旋状に巻いたコイルで高周波電磁界を発生させる装置である。本実施例では、キャビネット部９内の槽体部７裏側の槽体部７底面に相当する箇所に複数配置構成されている。
電源プラグ４は、後記する電源５から電力を送電ユニット１に入力する装置で、前記送電ユニット１に接続構成される。
受電ユニット２は、送電ユニット１からの送電を受電する装置であり、具体的には銅線などの線材を螺旋状に巻いたコイルで送電ユニット１の電磁界を電磁誘導で受電する装置である。そして、受電ユニット２は送電ユニット１からの電力を受電しなければならないので、槽体部７の裏面に設置されている送電ユニット１に対し、槽体部７を介してほぼ直上に配置して、送電ユニット１から電力を受電しなければならない。従って、受電ユニット２は槽体部７を介して送電ユニット１のほぼ直上に相当する槽体部７底面に複数個脱着自在に配置される。
尚、送電ユニット１と受電ユニット２は完全分離で構成されているので、槽体部７の厚み部分を介して送電／受電を行っている。
また、槽体部７表側からは槽体部７裏面に配置されている送電ユニット１が目視できないから受電ユニット２をセットする箇所がわかりにくい。従って、本実施例では予め送電ユニット１の配置箇所が槽体部７表側から視認できるよう、槽体部７表側の送電ユニット１の配置箇所に相当する部分に印をつけている。このようにすることで、受電ユニット２を配置する個所は槽体部７表側から使用者がすぐ視認できるようにしている。
電源５は、負荷部３に連続して電力を供給するものであって、本実施例では、家庭用電源コンセントを指す。直、本実施例については、キャビネット部９内の壁面に構成された電源コンセントに、電源プラグ４を差し込むことで、電力を送電ユニット１側へ入力することが出来る。
負荷部３は、電力の供給を受けて仕事をする装置であり、前記受電ユニット２に一体的に構成される。本実施例では負荷部３として水圧噴霧機及び水圧調整機能付き食器洗浄機２７を備えている。また、当該食器洗浄機２７用に上水が必要なため、当該上水管は送電ユニット１を介して水密的に負荷部３まで接続される。
【００４７】
以上のように構成された槽体ユニットは、以下のように作動または使用する。
槽体部７に排水が発生した場合には、槽体部７の排水は槽体部７から排水口８を介し排水管１５へと排出され、更には排水管１５中の排水トラップ装置１６を介して最終的には下水へと排水される。
また、食器などを洗浄したい場合、槽体部７内に食器を載置し、スイッチを入れるだけで送電ユニット１が作動し、受電ユニット２を介して負荷部３まで電力を送電するので食器洗浄機２７の水圧噴霧機や水圧調整機を作動させることが出来るので、食器を簡単に洗浄することができる。この場合にももちろん漏電などの危険は全くない。
また、本実施例においての非接触電源装置６の送電は、段落００３３に記載した内容と同じ原理であるため省略する。
【００４８】
本発明の実施例は上記のようであるが、本発明は上記実施例に限定されるものではなく、特許請求の範囲に記載の範囲において適宜変更は可能である。
例えば上記実施例においては、遠隔操作式排水栓装置は洗面台に備えられた洗面ボウルに用いられているが、あくまでも洗面ボウルに採用すると効果的である、というだけであって、上記実施例に限定されるものではなく、必要に応じて浴室の浴槽などに採用しても構わない。
また、上記実施例では、受電ユニット２と負荷部３を一体的に構成しているが、別体に構成してもかまわない。
また、上記実施例においては、受電ユニット２と負荷部３を取り外し可能に構成しているが、取り外し不可の構成としても構わない。
また、受電ユニット２もしくは負荷部３は、適宜必要に応じて取り替えることももちろん可能である。
【図面の簡単な説明】
【００４９】
【図１】本発明の槽体ユニットを示す斜視図である。
【図２】本発明の槽体ユニットを示す斜視図である。
【図３】本発明の槽体ユニットを示す斜視図である。
【図４】本発明の第１実施例を示す断面図である。
【図５】本発明の第２実施例を示す断面図である。
【図６】本発明の第３実施例を示す断面図である。
【図７】本発明の第４実施例を示す断面図である。
【図８】本発明の第５実施例を示す断面図である。
【図９】本発明の第６実施例を示す断面図である。
【図１０】本発明の第７実施例を示す断面図である。
【図１１】本発明の第８実施例を示す断面図である。
【図１２】本発明の非接触電源装置の原理図である。
【図１３】従来例を示す断面図である。
【図１４】従来例を示す断面図である。
【図１５】従来例を示す断面図である。
【符号の説明】
【００５０】
１    送電ユニット
２    受電ユニット
３    負荷部
４    電源プラグ
５    電源
６    非接触電源装置
７    槽体部
８    排水口
９    キャビネット部
１０  ポケットシンク
１１  オーバーフロー口
１２  防水パン部
１３  排水穴
１４  エプロン部
１５  排水管
１６  排水トラップ装置
１７  蛇口
１８  撹拌装置
１９  粉砕装置
２０  冷却装置
２１  加熱装置
２２  再生装置
２３  超音波発生装置
２４  振動発生装置
２５  光源装置
２６  センサー装置
２７  食器洗浄機
２８  充電装置
２９  遠隔操作式排水栓装置の駆動装置
３０  カバー体
３１  高周波発振回路
３２  整流回路
【図１】
2008121225.tif 000003
【図２】
2008121225.tif 000004
【図３】
2008121225.tif 000005
【図４】
2008121225.tif 000006
【図５】
2008121225.tif 000007
【図６】
2008121225.tif 000008
【図７】
2008121225.tif 000009
【図８】
2008121225.tif 000010
【図９】
2008121225.tif 000011
【図１０】
2008121225.tif 000012
【図１１】
2008121225.tif 000013
【図１２】
2008121225.tif 000014
【図１３】
2008121225.tif 000015
【図１４】
2008121225.tif 000016
【図１５】
2008121225.tif 000017